(57)【特許請求の範囲】
【請求項１】
容器本体と、中栓を内側天板下に挿着するキャップとからなるプラスチック製の容器であって、前記容器本体は、口部外周面に雄ネジを設け、該雄ネジの下方に台座リングを設け、該台座リングの前記雄ネジの下方先端部の下方上面に、右側側面が垂直断面である係止突起を設け、前記口部外周面の雄ネジの下方の所定位置に垂直なロック突起を設け、前記中栓は、天板の外周縁部の下面に、前記容器本体の口部外周面と内周面が間隙をもつアウター封止リングを垂設し、該アウター封止リングの内側の天板下面に、前記容器本体の口部上面に密接するコンタクト封止リングを垂設し、該コンタクト封止リングの内側の天板下面に、前記容器本体の口部内周面に密接するインナー封止リングを垂設し、前記キャップは、周壁内周面に雌ネジを設け、該雌ネジの下方先端部の近傍位置に、前記容器本体のロック突起と着脱可能に嵌合する切欠き部を設け、周壁下面に、前記容器本体の係止突部の右側側面と当接する左側側面が垂直断面である係止突部を設け、前記容器本体に前記キャップを螺着したときに、前記容器本体の係止突起が外側から見え、該係止突起の上方に位置する前記キャップの周壁外周面に、螺着完了位置を示すローレットなし部分を設け、該ローレットなし部分以外の周壁外周面に、縦のローレットを連設したことを特徴とする高密封性容器。
【請求項２】
前記容器本体の口部外周面と前記中栓のアウター封止リングの内周面との間隙が、０．２ｍｍ未満であることを特徴とする請求項１記載の高密封性容器。
【請求項３】
前記中栓の材質が、軟質材であることを特徴とする請求項１又は請求項２記載の高密封性容器。
【発明の詳細な説明】
【０００１】
【発明の属する技術分野】
本発明は、キャップの開閉トルク力が比較的に小さく、力の弱い老人、子供、病人や女性でも容易にキャップを着脱することができる高密封性容器に関するものである。
【０００２】
【従来の技術】
従来、湿度や酸素の影響を受け易い内容物を収容する容器、例えば、キャップを螺着する容器本体の内側下方に、複数の貫通孔をもつ仕切り板を設けて、下方に乾燥剤を入れ、上方に湿度の影響を受け易い固形物の医薬品などを収容する円筒状容器は、外気の湿度や酸素の影響を避けるために高密封性が必要となり、キャップを容器本体の口部にしっかりと螺着させるために、キャップを強い締めトルク力で容器本体に螺着していた。
【０００３】
【発明が解決しようとする課題】
しかしながら、上述のように強い締めトルク力で容器本体の口部にキャップを螺着すると、キャップを容器本体の口部から螺脱するときに、強い開けトルク力を必要とした。このため、比較的に力の弱い老人、子供、病人や女性には、扱いにくい容器となった。また、強い締めトルク力でキャップを容器本体の口部にしっかりと螺着しておいても、流通や保管の過程で、外気の温度変化、振動、衝撃などにより、キャップが緩むことがあった。また、キャップを容器本体の口部に螺着するときに、高密封性を得るためにはどれだけ強く螺合させる必要があるかが不明であった。
【０００４】
本発明は、上述の従来の問題を解決することを目的とし、キャップの容器本体への開閉トルクが比較的に小さく、老人、子供、病人や女性でも扱いやすく、容器本体の口部に螺着されたキャップが流通・保管過程で緩むことがなく、キャップの螺着完了位置が明確に分かる高密封性容器を提供するものである。
【０００５】
【課題を解決するための手段】
すなわち、本発明の第１の発明は、容器本体と、中栓を内側天板下に挿着するキャップとからなるプラスチック製の容器であって、前記容器本体は、口部外周面に雄ネジを設け、該雄ネジの下方に台座リングを設け、該台座リングの前記雄ネジの下方先端部の下方上面に、右側側面が垂直断面である係止突起を設け、前記口部外周面の雄ネジの下方の所定位置に垂直なロック突起を設け、前記中栓は、天板の外周縁部の下面に、前記容器本体の口部外周面と内周面が間隙をもつアウター封止リングを垂設し、該アウター封止リングの内側の天板下面に、前記容器本体の口部上面に密接するコンタクト封止リングを垂設し、該コンタクト封止リングの内側の天板下面に、前記容器本体の口部内周面に密接するインナー封止リングを垂設し、前記キャップは、周壁内周面に雌ネジを設け、該雌ネジの下方先端部の近傍位置に、前記容器本体のロック突起と着脱可能に嵌合する切欠き部を設け、周壁下面に、前記容器本体の係止突部の右側側面と当接する左側側面が垂直断面である係止突部を設け、前記容器本体に前記キャップを螺着したときに、前記容器本体の係止突起が外側から見え、該係止突起の上方に位置する前記キャップの周壁外周面に、螺着完了位置を示すローレットなし部分を設け、該ローレットなし部分以外の周壁外周面に、縦のローレットを連設したことを特徴とする高密封性容器である。
【０００６】
次に、本発明の第２の発明は、前記容器本体の口部外周面と前記中栓のアウター封止リングの内周面との間隙が、０．２ｍｍ未満であることを特徴とする第１の発明に記載の高密封性容器である。
【０００７】
次に、本発明の第３の発明は、前記中栓の材質が、軟質材であることを特徴とする第１の発明又は第２の発明に記載の高密封性容器である。
【０００９】
【発明の実施の形態】
次に、本発明の高密度性容器の実施の形態について、図を用いて詳細に説明する。
図１（ａ）は、本発明の一実施形態の高密度性容器のキャップ及び中栓の構造を示す斜視図であり、図１（ｂ）は、その容器本体の構造を示す斜視図であり、図２は、その高密度性容器の外観を示す斜視図であり、図３は、容器本体のロック突起に、キャップの雌ネジの切欠き部が嵌合した状態を示す説明図であり、図４は、容器本体の口部に対する中栓が正常なときの密封構造の状態を示す部分断面図であり、図５は容器本体の口部に対する中栓が収縮したときの密封構造の状態を示す部分断面図である。そして、図６は、キャップを容器本体に螺着するときのキャップの締め角度と発生するトルクの関係を示すグラフである。
【００１０】
本実施形態の高密度性容器は、図１（ａ）及び（ｂ）に示すように、キャップ（３００）と中栓（２００）と筒状の容器本体（１００）とから構成される容器であり、図２に示すように、中栓を内側天板下に挿着するキャップ（３００）を、容器本体（１００）の口部の台座リング（１３０）の所定の螺着完了位置にしかりと嵌着するものである。容器本体は、ポリエチレン、ポリプロピレン、ポリエチレンテレフタレートなどの熱可塑性樹脂を用いて射出成形するものである。キャップは、ポリプロピレンなどの熱可塑性樹脂を射出成形するものであり、中栓は、低密度ポリエチレンなどの軟質な熱可塑性樹脂を射出成形するものである。
【００１１】
その容器本体（１００）の構造は、図１（ｂ）に示すように、口部（１１０）外周面に雄ネジ（１２０）を設け、この雄ネジの下方に台座リング（１３０）を設け、この台座リングの雄ネジの下方先端部の下方上面に、右側側面が垂直断面である係止突起（１４０）を設け、口部外周面の雄ネジの下方の所定位置に垂直なロック突起（１５０）を設けるものである。
【００１２】
また、中栓（２００）の構造は、図１（ａ）又は図４に示すように、天板（２１０）の外周縁部の下面に、キャップ（３００）を容器本体（１００）に螺着したときに、容器本体の口部（１１０）外周面と内周面が０．２ｍｍ未満の間隙（ｄ）をもつアウター封止リング（２２０）を垂設し、このアウター封止リングの内側の天板（２１０）下面に、容器本体の口部上面に先端を密接するコンタクト封止リング（２３０）を垂設し、このコンタクト封止リングの内側の天板下面に、容器本体の口部内周面に外周面を密接するインナー封止リング（２４０）を垂設するものである。
【００１３】
また、キャップ（３００）の構造は、図１（ａ）又は図３に示すように、周壁（３２０）内周面に雌ネジ（３３０）を設け、この雌ネジの下方先端部の近傍位置に、容器本体（１００）に螺着したときに、容器本体のロック突起（１５０）に嵌合する切欠き部（３４０）を設け、周壁（３２０）下面に、図１（ａ）又は図２に示すように、容器本体（１００）の係止突起（１４０）の右側側面と当接する左側側面が垂直断面である係止突部（３５０）を設けるものである。
【００１４】
なお、中栓を挿着するキャップを容器本体の口部に螺着するときに、中栓のコンタクト封止リングの先端が、容器本体の口部上面に密着すると同時に、キャップの係止突起の右側側面と容器本体の係止突部の左側側面が当接するように、製品設計するものであり、また、前述した容器本体の口部外周面の雄ネジの下方に設ける垂直なロック突起（１５０）は、容器本体の係止突部とキャップの係止突起とが当接したときに、キャップの切欠き部が同時に嵌着するするように設けるものであり、この嵌合力は、人がキャップを容器本体から螺脱するときに、適切な開けトルク力で外せる程度に、また、流通・保管過程において、通常の偶発的は外力により外れることがない程度に製品設計するものである。また、キャップの周壁（３２０）内周面上方に、図４に示すように、通常、中栓（２００）を着脱可能な高さの中栓係止リング（３８０）を設けるものである。また、キャップを容器本体に螺着完了したときに、容器本体の係止突起の上方に位置するキャップの周壁外周面に、螺着完了位置を示すローレットなし部分を設け、ローレットなし部分以外の周壁外周面に、縦のローレットを連設するものである。
【００１５】
上述の本実施形態の高密封性容器は、中栓を天板下に挿着するキャップを容器本体の口部に螺着するときに、キャップの周壁下面に設ける係止突部の左側断面が、容器本体の台座リングの上面に設ける係止突起の右側断面に当接し、同時に、図３に示すように、キャップ（３００）の周壁（３２０）内周面の雄ネジ（３３０）の切欠き部（３４０）が、容器本体（１００）の口部（１１０）外周面のロック突起（１５０）に、着脱可能に嵌合させて螺着を完了するものである。キャップは、容器本体の上述の係止突起とロック突起に嵌合しているため、これ以上は、螺着方向に回転することがない。また、手でキャップを容器本体に螺着するときには、キャップの雄ネジの切欠き部が、容器本体のロック突起に嵌合するときに、クリック感（カチッと嵌まる感触）があるため、キャップの螺着が完了したことを確認でき、さらに、周壁外周面に螺着完了位置を示すローレットなし部分を設けるキャップは、螺着完了位置を目によっても明確に判断できる。
【００１６】
また、本実施形態の高密封性容器は、キャップを容器本体に螺着するときのキャップの締め角度と発生するトルクとの関係は、図６のグラフに示すように、キャップの雌ネジと容器本体の雄ネジとの螺合開始時（Ａ）から徐々に上昇し、キャップに挿着する中栓のインナー封止リングの外周面と容器本体の口部内周面との密着時（Ｂ）に急激に上昇し、さらに、中栓のコンタクト封止リングの先端と容器本体の口部上面との密着時（Ｃ）に上昇するが、中栓のコンタクト封止リングの先端と容器本体の口部上面との密着が充分になった時点で、キャップの係止突部の左側断面が容器本体の係止突起の右側断面に当接し、また、キャップの雄ネジの切欠き部が容器本体のロック突起に嵌合して、キャップがこれ以上は螺着方向に回転しなくなるため、キャップがこれ以上の強い締めトルク力で螺合されることがない。したがって、キャップを容器本体の口部から螺脱するときに、強い開けトルク力を必要としない。
【００１７】
また、本実施形態の高密封性容器（１０）は、図４に示すように、内容物を充填した容器本体（１００）の口部（１１０）に、中栓（２００）を天板（３１０）下に挿着するキャップ（３００）を螺着したときは、容器本体の口部外周面とアウター封止リング（２２０）の内周面には、０．２ｍｍ未満の間隙（ｄ）が設けられている。したがって、容器本体の密封は、中栓のコンタクト封止リングとインナー封止リングとにより行われている。そして、図５に示すように、熱や環境の変化により中栓（２００）が収縮（矢印）したときには、アウター封止リング（２２０）の内周面が容器本体（１００）の口部（１１０）外周面に密着して、インナー封止リング（２４０）の外周面の容器本体の口部内周面に対する密着度の低下を補助するものである。なお、上述の容器本体の口部外周面とアウター封止リングの内周面との間隙が０．２ｍｍより大きいと、中栓が収縮したときに、アウター封止リングの内周面が容器本体の口部外周面に密着しないことがある。
【００１８】
【発明の効果】
本発明の高密封性容器は、キャップを容器本体の口部に螺着するときに、キャップが必要以上の締めトルク力で締められることがなく、したがって、キャップを容器本体の口部に螺脱するときに、強い開けトルク力を必要としない。このため、老人、子供、病人や女性でも扱いやすい。
【００１９】
本発明の高密封性容器は、キャップを容器本体の口部に螺着したときに、キャップの係止突部と容器本体の係止突起とが当接し、同時に、キャップの雄ネジの切欠き部が容器本体のロック突起に嵌合しているため、流通・保管過程でキャップが緩むことがない。
【００２０】
また、本発明の高密封性容器は、キャップを手で容器本体の口部に螺着したときに、クリック感と目による認識により、キャップの螺着が完了したことが分かる。
【図面の簡単な説明】
【図１】（ａ）は、本発明の一実施形態の高密封性容器のキャップ及び中栓の斜視図であり、（ｂ）は、容器本体の斜視図である。
【図２】本発明の一実施形態の高密封性容器の斜視図である。
【図３】容器本体のロック突起に、キャップの雌ネジの切欠き部が嵌合した状態を示す説明図である。
【図４】容器本体の口部に対する中栓が正常なときの密封構造の状態を示す部分断面図である。
【図５】容器本体の口部に対する中栓が収縮したときの密封構造の状態を示す部分断面図である。
【図６】キャップを容器本体に螺着するときのキャップの締め角度と発生するトルクの関係を示すグラフである。
【符号の説明】
１０……高密封性容器
１００……容器本体
１１０……口部
１２０……雄ネジ
１３０……台座リング
１４０……係止突起
１５０……ロック突起
２００……中栓
２１０……天板
２２０……アウター封止リング
２３０……コンタクト封止リング
２４０……インナー封止リング
３００……キャップ
３１０……天板
３２０……周壁
３３０……雌ネジ
３４０……切欠き部
３５０……係止突部
３６０……ローレット
３７０……ローレットなし部分
３８０……中栓係止リング
ｄ……間隙
【図１】
0004029600.tif 000002
【図２】
0004029600.tif 000003
【図３】
0004029600.tif 000004
【図４】
0004029600.tif 000005
【図５】
0004029600.tif 000006
【図６】
0004029600.tif 000007